(57)【特許請求の範囲】
【請求項１】
プラント設備から測定された測定値を測定された日時に関連付けて管理するプラント管理装置であって、
日時を指定して、当該日時に関連付けて前記測定値に対するコメントの入力を受け付けるコメント受付手段と、
前記測定値を時間経過に沿ってトレンドグラフとして表示するトレンドグラフ表示手段と、
前記コメントと、前記コメントに関連付けられた日時と、をリスト形式で表示するコメント表示手段と、
を備え、
前記トレンドグラフを表示する領域と、
前記コメントのリストを表示する領域と、
を有し、
前記トレンドグラフ表示手段は、前記コメント表示手段によって表示された前記コメントを指定することによって、前記指定された前記コメントに関連付けられた日時を含む前記トレンドグラフを表示すると共に、前記トレンドグラフ上に前記指定された前記コメントを前記トレンドグラフ上に表示させることを特徴とするプラント管理装置。
【請求項２】
請求項１に記載のプラント管理装置であって、
入力された検索条件に合致する前記コメントを検索するコメント検索手段を備え、
前記コメント表示手段は、前記コメント検索手段において検索された前記コメントを表示させることを特徴とするプラント管理装置。
【請求項３】
請求項１又は２に記載のプラント管理装置であって、
前記トレンドグラフ表示手段は、前記トレンドグラフを表示する際に前記指定された前記コメントに関連付けられた日時をグラフの左端又は右端に配置して表示させることを特徴とするプラント管理装置。
【請求項４】
請求項１〜３のいずれか１項に記載のプラント管理装置であって、
前記トレンドグラフ表示手段による前記トレンドグラフ上への前記コメントの表示及び非表示を切り替えるコメント表示切替手段を備えることを特徴とするプラント管理装置。
【請求項５】
請求項１〜４のいずれか１項に記載のプラント管理装置であって、
前記トレンドグラフ表示手段は、時間経過に応じて前記トレンドグラフ上における前記測定値の表示位置を変更することにより前記トレンドグラフを時間経過に伴って移動させて表示すると共に、前記コメントを前記トレンドグラフの動きに合わせて移動させて表示することを特徴とするプラント管理装置。
【発明の詳細な説明】
【技術分野】
【０００１】
本発明は、プラント設備から測定された測定値を測定された日時に関連付けて管理するプラント管理装置に関する。
【背景技術】
【０００２】
プラント設備では、プラントを安定に運用するためにプラントに設置された各種の計測機器からプロセスデータを取得してプラントの管理に利用するプラント管理装置が用いられている。プラント管理装置では、取得されたプロセスデータの経時的な変化を管理者に知らせるためにプロセスデータを時刻に対応付けたトレンドグラフを表示するできることが多い。
【０００３】
例えば、任意又はあらかじめ指定されたイベント発生時にトレンドデータ保存を指示すると共に、トレンドグラフに表示されたトレンドデータにコメントメモ情報を付加して保存し、複数のトレンドデータより任意のトレンドデータを選択して再表示する構成が開示されている（特許文献１）。
【先行技術文献】
【特許文献】
【０００４】
【特許文献１】特開平７−２３４１３３号公報
【発明の概要】
【発明が解決しようとする課題】
【０００５】
ところで、トレンドグラフに表示させるプロセスデータにコメント等を登録しても、トレンドグラフの枠外にコメントが表示させる態様ではトレンドグラフのどの日時に対するコメントであるのか、またその日時におけるプロセスデータを把握し難いという問題がある。
【０００６】
本発明は、プロセスデータに付されたコメントに対応する日時をトレンドグラフ上において容易に把握することを可能とするプラント管理装置を提供することを目的とする。
【課題を解決するための手段】
【０００７】
本発明の１つの態様は、プラント設備から測定された測定値を測定された日時に関連付けて管理するプラント管理装置であって、日時を指定して、当該日時に関連付けて前記測定値に対するコメントの入力を受け付けるコメント受付手段と、前記測定値を時間経過に沿ってトレンドグラフとして表示するトレンドグラフ表示手段と、を備え、前記トレンドグラフ表示手段は、前記トレンドグラフ上の日時に関連付けられた前記コメントを前記トレンドグラフ上に表示させることを特徴とするプラント管理装置である。
【０００８】
ここで、前記コメントと、前記コメントに関連付けられた日時と、をリスト形式で表示するコメント表示手段を更に備え、前記トレンドグラフ表示手段は、前記コメント表示手段によって表示された前記コメントを指定することによって、前記指定された前記コメントに関連付けられた日時を含む前記トレンドグラフを表示すると共に、前記トレンドグラフ上に前記指定された前記コメントを表示させることが好適である。
【０００９】
また、入力された検索条件に合致する前記コメントを検索するコメント検索手段を備え、前記コメント表示手段は、前記コメント検索手段において検索された前記コメントを表示させることが好適である。
【００１０】
また、前記トレンドグラフ表示手段は、前記トレンドグラフを表示する際に前記指定された前記コメントに関連付けられた日時をグラフの左端又は右端に配置して表示させることが好適である。
【００１１】
また、前記トレンドグラフ表示手段による前記トレンドグラフ上への前記コメントの表示及び非表示を切り替えるコメント表示切替手段を備えることが好適である。
【００１２】
また、前記トレンドグラフ表示手段は、時間経過に応じて前記トレンドグラフ上における前記測定値の表示位置を変更することにより前記トレンドグラフを時間経過に伴って移動させて表示すると共に、前記コメントを前記トレンドグラフの動きに合わせて移動させて表示することが好適である。
【発明の効果】
【００１３】
本発明によれば、プロセスデータに付されたコメントに対応する日時をトレンドグラフ上において容易に把握することができる。
【図面の簡単な説明】
【００１４】
【図１】本実施形態に係るプラント管理装置の構成を示す図である。
【図２】本実施形態に係るプロセスデータベースの登録例を示す図である。
【図３】本実施形態に係るトレンドデータグラフの表示例を示す図である。
【図４】本実施形態に係るトレンドグラフデータベースの登録例を示す図である。
【図５】本実施形態に係るコメントデータベースの登録例を示す図である。
【図６】本実施形態に係るコメント追加画面の表示例を示す図である。
【図７】本実施形態に係るコメント修正画面の表示例を示す図である。
【図８】本実施形態に係るコメント削除画面の表示例を示す図である。
【図９】本実施形態に係るコメント検索画面の表示例を示す図である。
【図１０】本実施形態に係るトレンドグラフ上のコメントの表示例を示す図である。
【図１１】本実施形態に係るトレンドグラフ上のコメントの非表示例を示す図である。
【発明を実施するための形態】
【００１５】
本発明の実施の形態におけるプラント管理装置１００は、図１に示すように、処理部１０、記憶部１２、入力部１４、出力部１６及びインターフェース部１８を含んで構成される。プラント管理装置１００は、センサ２０（２０ａ〜２０ｎ）に接続され、管理対象であるプラント（設備）２００からプロセスデータを取得して管理する。
【００１６】
処理部１０は、ＣＰＵ等の演算手段を含み、記憶部１２に記憶されたプロセス管理プログラムを実行することによってプラント管理装置１００によるプラント管理処理を実現する。記憶部１２は、処理部１０からアクセス可能に接続された半導体メモリやハードディスク等の記憶装置を含んで構成される。記憶部１２は、プロセス管理プログラム、プロセスデータベース、コメントデータベース等を記憶する。入力部１４は、キーボードやマウス等の入力装置を含んで構成される。入力部１４は、プラント管理装置１００によって使用される各種パラメータや指示コマンドの入力に用いられる。出力部１６は、ディスプレイやプリンタ等の出力装置を含んで構成される。出力部１６は、プラント管理装置１００におけるプロセス管理処理に関する情報をユーザに提示する。インターフェース部１８は、アナログ／デジタル変換器等を含んで構成される。インターフェース部１８は、センサ２０によって測定されたプロセスデータをプラント管理装置１００に取り込むために用いられる。
【００１７】
センサ２０は、時系列的にプラント２００の状態を計測した測定値をプラントデータとしてプラント管理装置１００へ出力する。センサ２０は、例えば、温度センサ、圧力センサ、ｐＨセンサ等、プラント２００の状態を示す何らかの物理量を測定するものであればよい。
【００１８】
プラント管理装置１００は、インターフェース部１８を介してセンサ２０で計測されたプラントデータを取得する。処理部１０は、センサ２０からのプロセスデータを受信すると、当該プロセスデータを受信した日時に関連付けてプロセスデータベースとして記憶させる。プロセスデータベースは、図２の登録例に示すように、プロセスデータの種類毎に日時とその計測値とを関連付けて記憶部１２に記憶される。
【００１９】
プラント管理装置１００は、図３に示すように、センサ２０によって取得されたプロセスデータを時系列に示したトレンドデータグラフ３００を表示する機能を有する。トレンドデータグラフ３００は、名称表示領域３０、トレンドデータグラフ表示領域３１、時刻表示領域３２、トレンド状態変更領域３３、ゲイン・バイアス変更領域３４、トレンドデータ表示領域３５及びコメントリスト表示領域３６を含んで構成される。
【００２０】
名称表示領域３０は、表示されるトレンドデータグラフ３００の名称を表示する領域である。名称表示領域３０を入力部１４により選択（クリック等）することにより、登録済みのトレンドグラフを選択する選択画面が表示され、入力部１４によって表示させるトレンドデータグラフ３００を選択することができる。
【００２１】
本実施の形態では、複数のトレンドデータグラフ３００を登録することができる。トレンドデータグラフ３００の各々は、図４に示すように、トレンドグラフデータベースに登録される。トレンドグラフデータベースには、現在の表示開始時刻、現在の表示時間幅、現在の縦軸（Ｙ軸）選択、カーソル位置、グラフ毎に表示されるプロセスデータの種類・表示態様（線種、線色等）・ゲイン・バイアス・表示／非表示フラグ・単位がトレンドデータグラフ３００毎に関連付けて記憶部１２に登録される。これらの情報は、トレンドデータグラフ３００に設けられた「設定」ボタン３７を入力部１４により選択（クリック等）することにより登録用画面を表示させ、当該登録画面から設定できるようにすればよい。
【００２２】
トレンドデータグラフ表示領域３１は、トレンドデータグラフ３００を描画する領域である。トレンドデータグラフ表示領域３１の横軸は日時、縦軸はセンサ２０によって計測されたプロセスデータである。
【００２３】
処理部１０は、記憶部１２に記憶されているトレンドグラフデータベースを参照し、名称表示領域３０において選択されているトレンドデータグラフ３００に関連付けて登録されている情報を読み出し、それらの情報に基づいて出力部１６にトレンドデータグラフ３００を表示する。当該処理によってトレンドグラフ表示手段が実現される。
【００２４】
具体的には、処理部１０は、トレンドデータグラフ３００に表示される対象となっているプロセスデータの種類を読み出し、記憶部１２に記憶されているプロセスデータベースを参照して、当該種類のプロセスデータを現在の表示開始時刻から現在の表示時間幅に亘って読み出す。そして、読み出されたプロセスデータを現在の表示開始時刻から現在の表示時間幅のグラフとして表示させる。このとき、グラフの縦軸（Ｙ軸）は現在の縦軸（Ｙ軸）選択で特定されるプロセスデータの種類に合わせる。また、プロセスデータの種類毎に登録されているゲイン分だけ増幅すると共にバイアス分だけオフセットさせて表示させる。また、各プロセスデータは、種類毎に登録されている表示態様（線種：実線、破線、点線、一点鎖線、二点鎖線等、線色：黒、赤、青、緑等）で表示させる。また、表示／非表示フラグが「非表示」とされているプロセスデータはトレンドグラフとして表示させない。
【００２５】
図３の例では、プロセスデータの種類として逆洗排水槽、Ｎｏ．１吸着塔入口、Ｎｏ．２吸着塔入口、Ｎｏ．１吸着塔出口、Ｎｏ．２吸着塔出口、最終中和槽のｐＨ値の時間的な変化がトレンドグラフとしてトレンドデータグラフ表示領域３１に表示されている。
【００２６】
また、トレンドデータグラフ表示領域３１にはグラフカーソル４２，４３を表示させることが好適である。処理部１０は、記憶部１２のトレンドグラフデータベースを参照して、トレンドデータグラフ３００に関連付けて登録されているカーソル位置を読み出し、それによって特定される日時にグラフカーソル４２，４３を表示させる。グラフカーソル４２，４３は、入力部１４を用いてそれぞれトレンドグラフ上を横軸（時間軸）に沿って移動させることができる。グラフカーソル４２，４３が移動させられた場合、移動された位置の日時でトレンドグラフデータベースのカーソル位置を更新する。なお、グラフカーソル４２，４３の位置におけるプロセスデータが後述する時刻表示領域３２に表示される。
【００２７】
このように、プロセスデータを時系列的にトレンドグラフとして表示することによって、プロセスデータの時間的な変化を視覚的に容易に把握することが可能となる。また、複数のプロセスデータの時間的な変化を比較しつつ、それらの変化の関係性を容易に把握することができる。
【００２８】
時刻表示領域３２は、トレンドデータグラフ表示領域３１に表示されているトレンドグラフの表示開始日時を表示する領域である。また、表示開始時刻の表示領域を入力部１４により選択（クリック等）することにより、表示開始日時を変更する画面を表示させ、表示開始日時を変更できるようにしてもよい。表示開始日時が変更された場合、トレンドグラフデータベースにおいてトレンドデータグラフ表示領域３１に現在表示されているトレンドグラフに関連付けて登録されている表紙時開始日時が更新される。
【００２９】
また、時刻表示領域３２には、グラフカーソル４２，４３によって指定された日時を併せて表示してもよい。処理部１０は、トレンドデータグラフ表示領域３１に表示されたグラフカーソル４２，４３のそれぞれの位置に対応する日時を時刻表示領域３２に表示させる。さらに、グラフカーソル４２，４３の日時の表示領域を入力部１４により選択（クリック等）することにより、グラフカーソル４２，４３の日時を変更する画面を表示させ、グラフカーソル４２，４３の表示位置を変更できるようにしてもよい。処理部１０は、グラフカーソル４２，４３の日時が変更されると、トレンドデータグラフ表示領域３１におけるグラフカーソル４２，４３を変更された日時に移動させて表示させる。また、トレンドグラフデータベースにおいてトレンドデータグラフ表示領域３１に現在表示されているトレンドグラフに関連付けて登録されているカーソル位置が更新される。
【００３０】
トレンド状態変更領域３３は、表示日時の切り替え及び表示時間幅を選択する領域である。表示日時の切り替えは、「＜＜」ボタン、「＜」ボタン、「＞」ボタン、「＞＞」ボタン、「最新」ボタン、「指定」ボタンを入力部１４により操作（クリック等）することにより行われる。「＜＜」ボタンを操作することによりトレンドデータグラフ表示領域３１に表示されているトレンドグラフの時間軸を１頁分過去へ移動させて表示を更新する。「＜」ボタンを操作することによりトレンドデータグラフ表示領域３１に表示されているトレンドグラフの時間軸を１目盛分過去へ移動させて表示を更新する。「＞」ボタンを操作することによりトレンドデータグラフ表示領域３１に表示されているトレンドグラフの時間軸を１目盛分未来へ移動させて表示を更新する。「＞＞」ボタンを操作することによりトレンドデータグラフ表示領域３１に表示されているトレンドグラフの時間軸を１頁分未来へ移動させて表示を更新する。「最新」ボタンを操作することによりトレンドデータグラフ表示領域３１に表示されているトレンドグラフの表示開始時刻を現在日時にして表示を更新する。「指定」ボタンを操作することにより表示開始日時を変更する画面を表示させ、表示開始日時を変更できるようにし、トレンドデータグラフ表示領域３１に表示されているトレンドグラフの表示開始時刻を指定された日時にして表示を更新する。なお、これらの処理によって表示開始時刻が変更された場合、トレンドグラフデータベースにおいてトレンドデータグラフ表示領域３１に現在表示されているトレンドグラフに関連付けて登録されている表示開始時刻が更新される。
【００３１】
また、表示時間幅の切り替えは、「３０分」ボタン、「１時間」ボタン・・・「１年」ボタンを入力部１４により操作（クリック等）することにより行われる。それぞれのボタンを入力部１４により操作（クリック等）することにより、処理部１０は、操作されたボタンの時間幅に合わせてトレンドデータグラフ表示領域３１に表示されるトレンドグラフの時間幅を変更する。例えば、入力部１４によって「１時間」ボタンが操作（クリック等）されると、処理部１０は、トレンドデータグラフ表示領域３１に表示されるトレンドグラフの横軸の全幅が１時間の時間幅となるようにトレンドグラフを表示させる。表示時間幅が変更された場合、トレンドグラフデータベースにおいてトレンドデータグラフ表示領域３１に現在表示されているトレンドグラフに関連付けて登録されている表示時間幅が更新される。
【００３２】
ゲイン・バイアス変更領域３４は、トレンドグラフの全体のゲインとバイアスを選択する領域である。ゲインは、トレンドデータグラフ表示領域３１に表示されるトレンドグラフの縦軸の拡大倍率である。例えば、ゲイン・バイアス変更領域３４において、１倍、２倍、５倍、１０倍等の倍率から入力部１４により選択できるようにすることが好適である。また、ゲインは連続値で指定できるようにしてもよい。バイアスは、トレンドデータグラフ表示領域３１に表示されるトレンドグラフの縦軸を上下に移動させるオフセットである。例えば、ゲイン・バイアス変更領域３４において−１００％〜１００％の範囲で入力部１４により指定可能とすることが好適である。処理部１０は、表示対象として指定されているプロセスデータをゲイン・バイアス変更領域３４において指定されたゲイン分だけ増幅すると共にバイアス分だけ上下にオフセットさせてトレンドデータグラフ表示領域３１にトレンドグラフを表示させる。ゲイン又はバイアスが変更された場合、トレンドグラフデータベースにおいてトレンドデータグラフ表示領域３１に現在表示されているトレンドグラフに関連付けて登録されているゲイン又はバイアスが更新される。
【００３３】
トレンドデータ表示領域３５は、トレンドデータグラフ表示領域３１に表示されているトレンドグラフのプロセスデータを表示する領域である。例えば、プロセスデータの名称に関連付けてグラフカーソル４２，４３の位置する日時におけるプロセスデータを表示する。
【００３４】
このように、トレンドデータグラフ表示領域３１にグラフカーソル４２，４３を設け、それらによって指定された日時のプロセスデータを数値表示することによって、指定された日時におけるプロセスデータを正確に把握することができる。
【００３５】
また、プロセスデータ毎にゲイン及びバイアスを表示させることが好適である。ゲイン及びバイアスの表示領域を入力部１４により選択（クリック等）することによってゲイン及びバイアスを変更できるようにしてもよい。ゲイン又はバイアスが変更された場合、トレンドデータグラフ表示領域３１に現在表示されているトレンドグラフのゲイン又はバイアスを変更して表示させる。また、トレンドグラフデータベースにおいてトレンドデータグラフ表示領域３１に現在表示されているトレンドグラフに関連付けて登録されているゲイン又はバイアスが更新される。
【００３６】
また、トレンドデータ表示領域３５には、トレンドデータグラフ表示領域３１に表示されるトレンドグラフの縦軸（Ｙ軸）に表示する目盛、名称及び単位を選択するＹ軸選択領域を設けてもよい。入力部１４によってＹ軸選択領域のいずれかが選択（クリック等）されると、処理部１０は、その選択されたプロセスデータの単位及び目盛を適用してトレンドデータグラフ表示領域３１にトレンドグラフを表示させる。縦軸（Ｙ軸）選択が変更された場合、トレンドグラフデータベースにおいてトレンドデータグラフ表示領域３１に現在表示されているトレンドグラフに関連付けて登録されている縦軸（Ｙ軸）選択が更新される。
【００３７】
また、トレンドデータ表示領域３５には、グラフの表示／非表示を切り替える領域を設けてもよい。図３のトレンドデータグラフ３００の例では、各プロセスデータの前に表示／非表示を選択するボックスを設け、入力部１４により選択（クリック等）する度に対応するプロセスデータの表示／非表示を切り替える。処理部１０は、表示が選択されたプロセスデータはトレンドデータグラフ表示領域３１にトレンドグラフとして表示させる。処理部１０は、非表示が選択されたプロセスデータはトレンドデータグラフ表示領域３１にトレンドグラフとして表示しないように処理する。表示／非表示が変更された場合、トレンドグラフデータベースにおいてトレンドデータグラフ表示領域３１に現在表示されているトレンドグラフに関連付けて登録されている表示／非表示フラグが更新される。
【００３８】
コメントリスト表示領域３６は、プロセスデータに対するコメントの表示及びコメントの追加・修正・削除を行うための領域である。コメントリスト表示領域３６には、トレンドデータグラフ表示領域３１に表示されているトレンドグラフに対して登録されているコメントが時系列的にリスト形式で表示される。
【００３９】
コメントは、プロセスデータの種類及び日時に関連付けてコメントデータベースに登録される。コメントデータベースは、図５の登録例に示すように、プロセスデータの種類毎に日時に関連付けて記憶部１２に記憶される。
【００４０】
コメントは、コメントリスト表示領域３６の「追加」ボタン、「修正」ボタン、「削除」ボタンを入力部１４により選択（クリック等）することにより、追加、修正及び削除することができる。
【００４１】
コメントの追加処理は、以下のとおり行われる。当該処理によってコメント受付手段が実現される。入力部１４を用いてトレンドデータグラフ表示領域３１のトレンドグラフ上においてグラフカーソル４２を移動させることによって、コメントを入力する日時の設定が受け付けられる。また、入力部１４を用いてトレンドデータ表示領域３５のＹ軸選択領域においてコメントを追加するプロセスデータの種類の選択（クリック等）が受け付けられる。また、入力部１４を用いてコメントリスト表示領域３６の「追加」ボタンの選択（クリック等）が受け付けられる。処理部１０は、これらの入力を受け付けると、出力部１６に図６に示すようなコメント追加画面４００を表示させる。コメント追加画面４００には、日時、プロセスデータの名称、これらに対応するプロセスデータの値が表示される。さらに、コメント追加画面４００にはコメント入力領域５０が設けられ、入力部１４によるコメントの入力が受け付けられる。コメント入力領域５０にコメントが入力された状態において「登録」ボタン６０が選択（クリック等）されると、処理部１０は、コメントデータベースにおいて選択されたプロセスデータに対して日時に関連付けて受け付けられたコメントを新たに登録する。また、コメントリスト表示領域３６に追加されたコメントを追加表示する。
【００４２】
コメントの修正処理は、以下のとおり行われる。当該処理によってコメント修正手段が実現される。入力部１４を用いてコメントリスト表示領域３６にリスト形式で表示されているコメントを選択（クリック等）する。これにより、修正対象となるコメントが選択される。また、入力部１４を用いてコメントリスト表示領域３６の「修正」ボタンの選択（クリック等）が受け付けられる。処理部１０は、これらの入力を受け付けると、出力部１６に図７に示すようなコメント修正画面４０２を表示させる。コメント修正画面４０２には、日時、プロセスデータの名称、これらに対応するプロセスデータの値が表示される。さらに、コメント修正画面４０２にはコメント入力領域５２が設けられ、入力部１４によるコメントの修正が受け付けられる。ここで、コメント入力領域５２には、コメントデータベースを参照してコメントリスト表示領域３６において選択されているコメントの内容を表示させることが好適である。コメント入力領域５２に表示されたコメントが入力部１４によって修正された状態において「修正」ボタン６２が選択（クリック等）されると、処理部１０は、コメントデータベースにおいて選択されたプロセスデータに対して日時に関連付けて登録されているコメントを修正された内容に更新する。また、コメントリスト表示領域３６に表示されているコメントも更新する。
【００４３】
コメントの削除処理は、以下のとおり行われる。当該処理によってコメント削除手段が実現される。入力部１４を用いてコメントリスト表示領域３６にリスト形式で表示されているコメントを選択（クリック等）する。これにより、修正対象となるコメントが選択される。また、入力部１４を用いてコメントリスト表示領域３６の「削除」ボタンの選択（クリック等）が受け付けられる。処理部１０は、これらの入力を受け付けると、出力部１６に図８に示すようなコメント削除画面４０４を表示させる。コメント削除画面４０４には、「選択したコメントを削除します。よろしいですか？」等の削除の確認を求めるメッセージを表示させる。コメント削除画面４０４において「ＯＫ」ボタン６４が選択（クリック等）されると、コメントデータベースにおいて選択されたプロセスデータに対して日時に関連付けられて登録されている当該コメントが削除される。また、コメントリスト表示領域３６に表示されているコメントも削除する。
【００４４】
また、コメントの検索ができるようにしてもよい。当該処理によってコメント検索手段が実現される。コメントリスト表示領域３６の「検索」ボタンを入力部１４により選択（クリック等）することにより、検索処理が開始される。検索処理が開始されると、処理部１０は、図９に示すようなコメント検索画面４０６を表示させる。コメント検索画面４０６には、日時検索領域５４、名称検索領域５６及びコメント検索領域５８が設けられる。
【００４５】
日時検索領域５４、名称検索領域５６及びコメント検索領域５８には、それぞれチェックボックスが設けられ、入力部１４を用いてチェックボックスを選択することによって、選択された検索条件が有効とされる。日時検索領域５４では、入力部１４を用いてコメントが登録された日時（範囲）が検索条件として設定される。名称検索領域５６では、入力部１４を用いてコメントが付されたプロセスデータの種類が検索条件として設定される。コメント検索領域５８では、入力部１４を用いてコメントの内容を示すテキストデータが検索条件として設定される。コメント検索画面４０６の「実行」ボタン６６が選択（クリック等）されると、処理部１０は、コメントデータベースに登録されているコメントからコメント検索画面４０６において有効とされた検索条件に合致するコメントを検索及び抽出する。コメント検索領域５８に入力されたテキストについては部分一致検索の条件として扱うことが好適である。また、複数の検索条件が設定されている場合には、検索条件の論理積に基づいて検索を行う。そして、処理部１０は、抽出されたコメントをコメントリスト表示領域３６に表示させる。
【００４６】
このようにプロセスデータに対してコメントを登録できるようにすることによって、プロセスデータに変化等が生じた日時におけるプロセス管理者のコメントを把握しつつ、トレンドグラフを確認することができる。
【００４７】
次に、トレンドグラフ上にコメントを表示する処理について説明する。当該処理によってコメント表示手段が実現される。トレンドデータグラフ３００に表示されたコメント表示ボックス４０を選択（クリック等）すると、トレンドデータグラフ表示領域３１におけるコメントの表示／非表示が切り替えられる。処理部１０は、コメント表示ボックス４０において「表示」が選択された場合、トレンドグラフデータベースを参照して、トレンドグラフ上に表示されているプロセスデータの種類、現在の表示開始時刻及び現在の表示時間幅を読み出す。さらに、コメントデータベースを参照して、現在表示されているプロセスデータに関連付けて登録されているコメントのうち、表示開始時刻から表示時間幅に亘る期間に対して登録されているコメントを読み出す。そして、読み出されたコメントをトレンドデータグラフ表示領域３１に表示されているトレンドグラフ上に表示させる。該当するコメントが複数存在する場合、該当するすべてのコメントを表示させることが好適である。また、コメントデータベースにおいて表示されるコメントに関連付けて登録されている日時に該当するトレンドグラフ上の位置にコメントを表示させることが好適である。
【００４８】
例えば、図１０に示すように、トレンドデータグラフ表示領域３１のトレンドグラフにコメント３１ａを表示させる。図１０では、コメントが登録されているプロセスデータの種類、コメントが登録されている日時と共にコメントを表示した例を示している。時間経過に応じてトレンドデータグラフ表示領域３１のトレンドグラフ上における測定値の表示位置を変更することによりトレンドグラフを時間経過に伴って移動表示させる。そして、コメントは、トレンドグラフの時間経過に伴う動きに合わせて移動表示させる。このように、コメントがどのプロセスデータの種類に対して登録されているか判別できる態様で表示することが好適である。例えば、トレンドグラフにおいてコメントが登録されたプロセスデータを表示している線種と同じ線種でコメントを囲んだ態様で表示したり、プロセスデータを表示している線色と同じ線色でコメントを表示したりすることが好適である。また、コメントが登録された日時が把握できる態様で表示することが好適である。例えば、図１０に示すように、トレンドグラフにおいてコメントが登録された時刻から引き出し線３１ｂを引き出してコメント３１ａを表示させることが好適である。
【００４９】
また、コメント表示ボックス４０において「非表示」が選択された場合、処理部１０は、図１１に示すように、トレンドデータグラフ表示領域３１にはコメントを表示させない。当該処理によってコメント表示切替手段が実現される。また、トレンドデータ表示領域３５の「表示」において「ＯＦＦ」が選択された場合、トレンドグラフの非表示と共に、関連するコメントも非表示となる。
【００５０】
このようにトレンドグラフ上にコメントを表示させることによって、プロセスデータと共に、プロセスデータ及び日時に対応付けられたコメントをトレンドグラフ上において同時に把握することが可能となる。また、コメント毎に表示用のボタンを押すことなく、トレンドグラフに表示されている内容に応じたコメントを表示させることができる。
【００５１】
また、コメントリスト表示領域３６においてコメントを指定することによって、トレンドデータグラフ表示領域３１に表示されるトレンドグラフ上に当該コメントを表示させるようにしてもよい。コメントリスト表示領域３６において表示させたいコメントを選択（クリック等）し、「表示」ボタンを選択（クリック等）すると、処理部１０は選択されたコメントをトレンドデータグラフ表示領域３１上に表示させる。
【００５２】
具体的には、処理部１０は、トレンドグラフデータベースを参照して現在の表示時間幅を読み出す。また、処理部１０は、コメントデータベースを参照して選択されたコメント及びその日時を読み出す。そして、当該コメントの日時をトレンドグラフの右端（表示終了時刻）に設定し、読み出された表示時間幅となるようにトレンドグラフを表示させる。これにより、選択されたコメントの日時が右端に位置するようにトレンドグラフが表示される。
【００５３】
これによって、コメントリスト表示領域３６に表示されたコメントからトレンドグラフを表示させ、コメントに関係するプロセスデータの時間変化を確認することが容易となる。また、コメントの日時をトレンドグラフの右端に位置させることにより、グラフカーソル４２，４３を移動させてコメントの日時に合わせ易くなり、コメントの日時におけるプロセスデータの値を確認することが容易になる。
【００５４】
なお、本実施の形態では、コメントの日時をトレンドグラフの右端に合わせて表示させるものとしたが、トレンドグラフの左端に合わせて表示させてもよい。トレンドグラフの右端に合わせて表示させた場合、コメントの日時よりも前に測定されたプロセスデータの時間変化を把握することが容易となる。一方、トレンドグラフの左端に合わせて表示させた場合、コメントの日時よりも後に測定されたプロセスデータの時間変化を把握することが容易となる。
【００５５】
また、トレンドデータグラフ３００に設けられた「スクリーンショット」ボタン３７を入力部１４によって選択（クリック等）することで、処理部１０は、トレンドデータグラフ３００のスクリーンショットを記憶部１２に記憶させるようにしてもよい。また、トレンドデータグラフ３００に設けられた「印刷」ボタン３８を入力部１４によって選択（クリック等）することで、処理部１０は、トレンドデータグラフ３００を印刷させるようにしてもよい。
【００５６】
このようにスクリーンショットや印刷を可能とすることによって、プロセスデータの時間変化を示すトレンドグラフを保存することが可能となる。また、トレンドグラフ上にコメントを表示させた状態においてもスクリーンショットや印刷が可能であり、これによって、トレンドグラフ上にコメントを改めて記入する等の作業が不要となり、プラントの管理が容易となる。
【符号の説明】
【００５７】
１０  処理部、１２  記憶部、１４  入力部、１６  出力部、１８  インターフェース部、２０  センサ、３０  名称表示領域、３１  トレンドデータグラフ表示領域、３１ａ  コメント、３１ｂ  引き出し線、３２  時刻表示領域、３３  トレンド状態変更領域、３４  ゲイン・バイアス変更領域、３５  トレンドデータ表示領域、３６  コメントリスト表示領域、３７  「設定」ボタン、３８  「スクリーンショット」ボタン、３９  「印刷」ボタン、４０  コメント表示ボックス、４２，４３  グラフカーソル、５０  コメント入力領域、５２  コメント入力領域、５４  日時検索領域、５６  名称検索領域、５８  コメント検索領域、６０  「登録」ボタン、６２  「修正」ボタン、６４  「削除」ボタン、６６  「実行」ボタン、１００  プラント管理装置、２００  プラント、３００  トレンドデータグラフ、４００  コメント追加画面、４０２  コメント修正画面、４０４  コメント削除画面、４０６  コメント検索画面。
【図１】
0006573787.tif 000002
【図２】
0006573787.tif 000003
【図３】
0006573787.tif 000004
【図４】
0006573787.tif 000005
【図５】
0006573787.tif 000006
【図６】
0006573787.tif 000007
【図７】
0006573787.tif 000008
【図８】
0006573787.tif 000009
【図９】
0006573787.tif 000010
【図１０】
0006573787.tif 000011
【図１１】
0006573787.tif 000012